(57)【要約】      （修正有）【課題】地震等の災害によって変形した建物のドア枠構造体が開放不能になった場合、室内に閉じ込められた人が自力で室外に脱出することができる手動式ドア開放装置を提供する。【解決手段】手動式ドア開放装置１０は、開放バール２０と、係止フック体３０で構成される手動式のドア開放装置１０である。開放バール１０は、平鋼棒材を略Ｊ字状に屈曲させてバール状に形成し、先端部２１は先端をやや外側に屈曲させて先細りの平板状に成形し、屈曲部２２は所定の曲率半径を有して成形し、係止フック体３０は、下方が開口されるボックス状の係止部３１の側壁が両側に延設されてフランジ部３２が形成される。係止フック体３０が、ドア枠４１の室内側の戸先側段差部４１aまたは開閉ドア４０の室内側の戸先端上部にフランジ部３２の通し穴３３を介して取り付けネジ３４によって取り付けられる。【選択図】図１
2014201972.tif 000002
【特許請求の範囲】
【請求項１】
開放バールと、係止フック体で構成される手動式ドア開放装置であって、
前記開放バールは、平鋼棒材を略Ｊ字状に屈曲させてバール状に形成し、先端部は先端をやや外側に屈曲させて先細りの平板状に成形し、屈曲部は所定の曲率半径を有して成形されると共に、該屈曲部の内側には補強杆を跨設し、基部は先端をやや内側に屈曲させて先細りの平板状に成形して成り、
前記係止フック体は、下方が開口されるボックス状の係止部の側壁が両側に延設されてフランジ部が形成されると共に、該フランジ部に取り付けネジが挿通する通し穴を設けて成り、
前記係止フック体が、ドア枠の室内側の戸先側段差部または開閉ドアの室内側の戸先端上部に前記フランジ部の通し穴を介して取り付けネジによって取り付けられることを特徴とする手動式ドア開放装置。
【請求項２】
前記係止フック体において、前記係止部におけるフランジ部を形成した側壁の開口辺から外側に略Ｌ字状の狭持部が連設されることで、該挟持部と係止部側壁とで略コの字状の挟持空間が形成されて成り、
前記係止フック体が、該挟持空間によりドア枠の室内側の戸先側段差部または開閉ドアの室内側の戸先端上部を挟持した状態で前記フランジ部のネジ孔に取り付けネジをねじ込むことによって取り付けられることを特徴とする請求項1記載の手動式ドア開放装置。
【発明の詳細な説明】
【技術分野】
【０００１】
本発明は、地震等の災害によって変形した建物のドア枠構造体が開放不能になった場合、室内に閉じ込められた人が自力で室外に脱出することができる手動式ドア開放装置に関する。
【背景技術】
【０００２】
１９７６年に宮城県沖地震が発生し、当時の中高層集合住宅が戦後初めて大規模な地震による倒壊被害を被り、壁の損傷により玄関ドアが開かない事故が発生したことを契機に、玄関ドアに対する耐震性能を付加した機能ドアの質的需要ならびに多様化したニーズが高まると同時に、性能に対する考え方、評価方法の確立が求められるようになってきた。さらにその後、試験工法や性能基準のＪＩＳ規格が制定されてきて、現在ではマンションや建築物のおよそ７割程度の開閉ドアがクリアランス拡大タイプの耐震ドアとなっている。
【０００３】
しかしながら、上記のクリアランス拡大タイプや耐震ストライクを戸先枠に設けたタイプの耐震ドアは、密封性、防音性、保温性を備える間材等の質的機能の向上が求められ、今後は近代建築要素の多様化から新たな耐震機能を備えた耐震ドアの開発が望まれるものである。
【０００４】
上記における新たな耐震ドアの要求を満たすべく、ドア枠ならびに開閉ドアの当接面をそれぞれテーパ状にして耐震機能を備えた耐震ドアの提案がなされている。例えば、ドア枠ならびに開閉ドアの当接面をそれぞれテーパ状にした「耐震ドア」（特許文献１参照）が提案されている。
しかしながら該提案は、ドア枠ならびに開閉ドアの当接面をそれぞれテーパ状にすることによって耐震機能を持たせているが、該施工および使用に際しては下記に示す問題点が指摘されるものであった。
（１）ドア枠とテーパ状の開閉ドアが一対構造であるため、マンションやコンクリート建築物の新築用の耐震ドアとして限定され、既存のマンションやコンクリート集合住宅における耐震ドアの改造工事においては、高額な工事費用と多くの工事日程を必要とするといった問題。
（２）地震等の外部応力よる局部変形を耐震ドアの施錠部に受けた場合、施錠の歪みによって開閉ドアが開閉しない可能性があるといった問題。
（３）ドア枠の底面下部テーパ部の勾配段差により、バリアフリー化が図れないといった問題。
（４）開閉ドア周辺部、特に床面がテーパ状の尖端形状を有しているため、安全性、使い易さ、美観性が劣るといった問題。
（５）ドア枠ならびに開閉ドアのテーパ部に連なる平坦部が、地震等の外部応力によって面内変形若しくは局部変形を受けた場合、ドア枠と開閉ドアが咬み合って開閉しない可能性があるといった問題。
【０００５】
また、「室内閉じ込め防止用の構造体及びそのためのドア改造部材」（特許文献２参照）が提案されている。
しかしながら該提案は、室内閉じ込め防止用のドア構造体に関して上記同様の問題点と共に、ドア改造部材に関しては下記の問題が指摘されるものであった。
（１）改造部材が後付けであるため、開閉ドアの外観的美観が損なわれるといった問題。
（２）既存の開閉ドアの上下方向に対してのみの耐震機能改造工事であるため、水平横方向からの地震等の外部応力による面内変形若しくは局部変形に弱いといった問題。
（３）開閉ドア下部に設けられたローラーが面内変形若しくは局部変形によって破損した場合、ローラーを構成する部品類が枠体と開閉ドア間に挟まって開閉しない可能性があるといった問題。
（４）ローラーの下部に設けられるテーパ部を有するドア改造部材によってバリアフリー化が図れない構造であると共に、密封性、防音性、保温性に劣るといった問題。
（５）枠体および既存のドア加工の改造工事における施工費用の問題。
【０００６】
また、開閉ドアの内側に脱出用の開口部が設けられた「耐震ドア」（特許文献３参照）が提案されている。係る提案は、地震等の災害により室内側よりドアが開かない場合、閉じ込められた人が脱出用の開口部から室外に脱出できるようにした耐震ドアであるが、開閉ドア内に開口部を形成する閉鎖パネルや係止機構を設けることは製造コストの高騰に繋がり、且つ該閉鎖パネルの防犯上の安全性の問題や美観性の問題が残るものであり、さらに係止機構を構成する解除レバー、ピン、連結杆が地震等の影響を受けて解除できなくなる可能性があった。
【０００７】
また、扉に過大な荷重が加えられたとき破断する構造を有する「耐震蝶番」（特許文献４参照）が提案されている。係る提案は、扉に過大な荷重が加えられたとき、ドア枠と開閉ドアを繋ぐ蝶番自体が破断するようにした耐震用の蝶番であるが、地震等の災害によりドア枠と開閉ドアを繋ぐ蝶番自体が複雑に咬み合って破断した場合、速やかに開閉ドアを排除できない可能性があるものであり、また地震と同時に開閉ドアがドア枠から外れて二次災害を起こす可能性があった。
【０００８】
また、開閉ドアの一端にカム式のドア開放装置を取り付けた「ドア開放装置」（特許文献５参照）や、「ドア開放装置」（特許文献６参照）などが提案されている。係る提案は、開放不能になった開閉ドアを、てことカムの原理を利用して開放しようとするものであるが、日常的に開け閉めされる開閉ドアにドア開放装置が常時備え付けられているため、使い勝手や安全性、外観美観性に欠けるものであり、さらに左右の取り付け仕様が異なると共に内開きの開閉ドアには対応できないなどの問題があった。
【０００９】
本出願人は、以上のような従来の耐震ドアにおける経済性、安全性、密封性、防音性、保温性に加えて設置工事の容易性の問題に着目し、それらの問題点を簡便且つ容易な手段で達成することができないものかという着想の下、地震等の災害によって変形した建物のドア枠構造体が開放不能になった場合、室内に閉じ込められた人が自力で室外に脱出することができる手動式のドア開放装置を開発し、本発明における「手動式ドア開放装置」の提案に至るものである。
【先行技術文献】
【特許文献】
【００１０】
【特許文献１】特開平９-３１７３４０号公報
【特許文献２】特開２００６-１５２７９３号公報
【特許文献３】特開平９-５３３７１号公報
【特許文献４】特開平９-２０９６４２号公報
【特許文献５】特開２００９-３５８７０号公報
【特許文献６】特開２００９-１６１９４８号公報
【発明の開示】
【発明が解決しようとする課題】
【００１１】
本発明は上記問題点に鑑み、地震等の災害によって変形した建物のドア枠構造体が開放不能になった場合、室内に閉じ込められた人が自力で室外に脱出することができる手動式ドア開放装置の提供を図ることを課題とする。
【課題を解決するための手段】
【００１２】
本発明の手動式ドア開放装置は、上記課題を解決するためになされるもので、開放バールと、係止フック体で構成される手動式ドア開放装置であって、前記開放バールは、平鋼棒材を略Ｊ字状に屈曲させてバール状に形成し、先端部は先端をやや外側に屈曲させて先細り平板状に成形し、屈曲部は所定の曲率半径を有して成形されると共に、該屈曲部の内側には補強杆を跨設し、基部は先端をやや内側に屈曲させて先細り平板状に成形して成り、前記係止フック体は、下方が開口されるボックス状の係止部の側壁が両側に延設されてフランジ部が形成されると共に、該フランジ部に取り付けネジが挿通する通し穴を設けて成り、前記係止フック体が、ドア枠の室内側の戸先側段差部または開閉ドアの室内側の戸先端上部に前記フランジ部の通し穴を介して取り付けネジによって取り付けられる手段を採る。
【００１３】
また本発明の手動式ドア開放装置は、前記係止フック体において、前記係止部におけるフランジ部を形成した側壁の開口辺から外側に略Ｌ字状の狭持部が連設されることで、該挟持部と係止部側壁とで略コの字状の挟持空間が形成されて成り、前記係止フック体が、該挟持空間によりドア枠の室内側の戸先側段差部または開閉ドアの室内側の戸先端上部を挟持した状態で前記フランジ部のネジ孔に取り付けネジをねじ込むことによって取り付けられる手段を採る。
【００１４】
また本発明の手動式ドア開放装置は、前記係止フック体に替えて、前記ドア枠の室内側戸先側段差部の水平上方部に前記開放バールの先端部が挿入される開放掛止穴を穿設することで、該開放掛止穴を起点として前記開閉ドアの室内面に前記開放バールの屈曲部を押し当てた状態で回動することによって前記開閉ドアを室外側に開放する手段を採ることも可能である。
【発明の効果】
【００１５】
本発明の手動式ドア開放装置によれば、係止フック体を開閉ドアまたはドア枠に取り付けることにより、内開きならびに外開き仕様の何れの開閉ドアにおいても取り付けることができると共に、開閉ドアまたはドア枠の戸先端上部にコンパクトに取りつけることができるといった優れた効果を奏する。
【００１６】
また本発明の手動式ドア開放装置によれば、開放装置が複雑な機械的要素を有しない簡単構造であるため、地震等の非常事態における精神的混乱状態においても簡単な操作によって容易に脱出できるといった優れた効果を奏する。
【００１７】
また本発明の手動式ドア開放装置によれば、開放手段が開放バールよって開放されるため、開閉ドアが地震等によって突然外れて避難中の歩行者に怪我を負わす二次災害を起こすことがないといった優れた効果を奏する。
【００１８】
また本発明の手動式ドア開放装置によれば、開放バールを開閉ドア内部に収納することができるため、収納性と、美観性と、緊急時の取り出し性が良いといった優れた効果を奏する。
【００１９】
また本発明の手動式ドア開放装置によれば、開放装置が単純に開放バールと、係止フック体の単純な部品で構成されることによって廉価に製造することができるため、本発明の手動式ドア開放装置を新築マンションや高層ビルの開閉ドアに標準装備で装着できるといった優れた効果を奏する。
【００２０】
また本発明の手動式ドア開放装置によれば、請求項３記載のドア枠を使用することにより手動式ドア開放装置自体が開放バールのみで構成されるため、通常時は従来の開閉ドアと外観形状が全く同じであって耐震装置が取り付けられる目ざわりさと安全性が損なわれることがない上、新築マンションや高層ビル用の耐震ドアが廉価に製造できるといった優れた効果を奏する。
【００２１】
また本発明の手動式ドア開放装置によれば、ホームセンターや家具店などで装置自体を個別に購入することができることによって、既に入居済みのマンションや高層ビルの玄関ドアに後付けできるといった優れた効果を奏する。
【図面の簡単な説明】
【００２２】
【図１】本発明における請求項１記載の手動式ドア開放装置の外開きドアの実施形態を示す説明図である。（実施例１）
【図２】本発明における請求項２記載の手動式ドア開放装置の外開きドアの実施形態を示す説明図である。（実施例２）
【図３】本発明における請求項１記載の手動式ドア開放装置の内開きドアの実施形態を示す説明図である。
【図４】本発明における請求項２記載の手動式ドア開放装置の内開きドアの実施形態を示す説明図である。
【図５】本発明における別の手動式ドア開放装置の外開きドアの実施形態を示す説明図である。（実施例３）
【図６】本発明における手動式ドア開放装置の収納状態を示す説明図である。
【発明を実施するための形態】
【００２３】
本発明の手動式ドア開放装置１０は、地震等による建造物ならびにドア枠４１の変形によって開閉ドア４０が開放不能な事態において、係止フック体３０の係止部３１に開放バール２０の先端部２１（図示Ｏ）を差し込み、さらに開閉ドア４０の室内面に開放バール２０の屈曲部２２（図示Ｐ）を押し当てた状態で開放バール２０の把持部２５（図示Ｆ）を下方に回動させることによって、変形した開閉ドア４０とドア枠４１とを引き離すことができる手段を採ったことを最大の特徴とする。以下、本発明の実施形態を、図面に基づいて説明する。
【００２４】
尚、本発明における手動式ドア開放装置１０は、以下に述べる実施例に限定されるものではなく、本発明の技術的思想の範囲内、すなわち同一の作用効果を発揮できる形状及び寸法の範囲内で、適宜変更することができる。
【実施例１】
【００２５】
図1は、本発明における請求項１記載の手動式ドア開放装置の外開きドアの実施形態を示す説明図である。
本実施形態は、新規仕様の外開きの開閉ドア４０に取り付けられる手動式ドア開放装置１０に関するもので、手動式ドア開放装置１０は、係止フック体３０がドア枠４１の室内側の戸先側段差部４１ａに取り付けネジ３４で取り付けられるものである。
【００２６】
図１（ａ）は、手動式ドア開放装置１０の全体斜視図を示す。
本発明の手動式ドア開放装置１０は、開放バール２０と、係止フック体３０で構成される手動式のドア開放装置であって、該開放バール２０は、平鋼棒材を略Ｊ字状に屈曲させてバール状に形成し、先端部２１は先端をやや外側に屈曲させて先細り平板状に成形し、屈曲部２２は所定の曲率半径を有して成形されると共に、該屈曲部２２の内側には補強杆２３を跨設し、把持部２５は凹凸加工を形成すると共に、基部２４は先端をやや内側に屈曲させて先細りの平板状に成形して成り、係止フック体３０は、下方が開口されるボックス状の係止部３１の側壁が両側に延設されてフランジ部３２が形成されると共に、該フランジ部３２に取り付けネジ３４が挿通する通し穴３３を設けて成り、かかる係止フック体３０が、ドア枠４１の室内側の戸先側段差部４１ａに設けられた雌ネジ部４３にフランジ部３２の通し穴３３を介して取り付けネジ３４を螺合させることよって取り付けられる構造を有する。
【００２７】
図１（ｂ）は、手動式ドア開放装置１０の取り付け状態を示す斜視図である。
マンションや高層ビル賃貸事務所などの開閉ドア４０ならびにドア枠４１に雌ネジ部４３を設けて係止フック体３０を取り付ける場合は、改造工事の認可を必要とするため、予め新規建設時にドア枠構造体に手動式ドア開放装置１０を取り付けておくものである。
【００２８】
開放バール２０は、平鋼棒材を略Ｊ字状に屈曲させてバール状に形成し、先端部２１は先端をやや外側に屈曲させて先細りの平板状に成形し、屈曲部２２は所定の曲率半径を有して成形されると共に、該屈曲部２２の内側には補強杆２３を跨設し、把持部２５は凹凸加工を形成すると共に、基部２４は先端をやや内側に屈曲させて先細りの平板状に形成している。
【００２９】
また開放バール２０は、平鋼棒材を使用していることによって、開放時に開放バール２０の屈曲部２２（図示Ｐ）を開閉ドア４０の室内面に面接触の状態で押し当てられるため、左右にぶれずに安定的に開放バール２０を操作できる。
なお図示はしていないが、開放バール２０の把持部２５の一部に中折れ式、パイプ式、ネジ締結式、ねじ込み式、差込み式などの長さ調整機能を持たせて、開放バール２０をコンパクトに収納する仕様とすることができる。
【００３０】
先端部２１は、係止フック体３０の係止部３１に差し込みし易いように、先端を外側にやや屈曲させて先細りの平板状に成形して形成される。尚、先端部２１の形状は、後述する段落〔００３３〕における係止部３１の形状に合わせて確実に係止できる形状に変更してもよい。
【００３１】
屈曲部２２は、所定の曲率半径を有して成形され、外側が開閉ドア４０に当接されると共に、内側は開閉時の圧力（およそ５００ｋｇ位）に耐える補強杆２３を溶接等で跨設して形成される。
【００３２】
把持部２５は、凹凸加工を形成すると共に、基部２４は先端をやや内側に屈曲させて先細りの平板状に形成している。基部２４の先端がやや内側に屈曲させて先細りの平板状に形成されていることによって、地震発生時に開閉ドア４０がドア枠４１に食い込んで開放不能になった場合、戸先部以外の例えば施錠部付近をこじ開けるなどの作業に利用できるものである。また使用時以外は、樹脂製の保護キャップなどで基部２４をカバーして安全性を確保している。
【００３３】
係止フック体３０は、下方が開口されるボックス状の係止部３１の側壁が両側に延設されてフランジ部３２が形成されると共に、該フランジ部３２に取り付けネジ３４が挿通する通し穴３３を設けて成り、ドア枠４１の室内側の戸先側段差部４１ａに設けられた雌ネジ部４３にフランジ部３２の通し穴３３を介して取り付けネジ３４を螺合させることよって取り付けられる構造で形成される。
【００３４】
係止部３１は、バール２０の先端部２１が差し込まれるボックス状の係止部であって、ボックス状にすることで変形した開閉ドア４０をドア枠４１から開放時に必要とされるおよそ５００ｋｇの開放力に耐える構造としたものであるが、該係止部３１の形状は、その開放力に耐える構造であれば、Ｌ型、鍵型、フック型などの他の構造であってもよい。
【００３５】
図１（ｃ）は、手動式ドア開放装置１０の開放前の作用状態を示す説明図である。
ドア枠４１の室内側の段差部４２に取り付けられた係止フック体３０におけるボックス状の係止部３１に開放バール２０の先端部２１（図示Ｏ）を差し入れ、開閉ドア４０の室内面に開放バール２０の屈曲部２２（図示Ｐ）を押し当てる。
【００３６】
図１（ｄ）は手動式ドア開放装置１０の開放後の作用状態を示す説明図である。
開閉ドア４０の室内面に開放バール２０の屈曲部２２（図示Ｐ）を押し当てた状態で該開放バール２０の把持部２５（図示Ｆ）を下方に体重をかけて降ろすと、屈曲部２２が回動しながら開閉ドア４０を室外方向に押し出すことによって、開閉ドア４０がドア枠４１から開放される。
【００３７】
以上の状況で使用される本発明の手動式ドア開放装置１０は、係止フック体３０のボックス状の係止部３１に開放バール２０の先端部２１（図示Ｏ）を差し入れ、開閉ドア４０の室内面に開放バール２０の屈曲部２２（図示Ｐ）を押し当てた状態で開放バール２０の把持部２５（図示Ｆ）を下方に体重をかけて降ろすだけの単純作業で、地震等の災害によって室内に閉じ込められた人が自力でもって室外に脱出することができる。
【実施例２】
【００３８】
図２は、本発明における請求項２記載の手動式ドア開放装置の外開きドアの実施形態を示す説明図である。
本実施形態は、後付け仕様の外開きの開閉ドア４０に取り付けられる手動式ドア開放装置１０に関するもので、手動式ドア開放装置１０は、係止フック体３０がドア枠４１の室内側の段差部４２に取り付けネジ３４で着脱自在に取り付けられるものである。
【００３９】
図２（ａ）は、手動式ドア開放装置１０の全体斜視図を示す。
本発明の手動式ドア開放装置１０は、開放バール２０と、係止フック体３０で構成される手動式のドア開放装置であって、該開放バール２０は、平鋼棒材を略Ｊ字状に屈曲させてバール状に形成し、先端部２１は先端をやや外側に屈曲させて先細りの平板状に成形し、屈曲部２２は所定の曲率半径を有して成形されると共に、該屈曲部２２の内側には補強杆２３を跨設し、把持部２５は凹凸加工を形成すると共に、基部２４は先端をやや内側に屈曲させて先細りの平板状に成形して成り、係止フック体３０は、係止部３１におけるフランジ部３２を形成した側壁の開口辺から外側に略Ｌ字状の狭持部３５が連設されることで、該挟持部３５と係止部３１の側壁とで略コの字状の挟持空間が形成されて成り、該挟持空間によりドア枠４１の室内側の戸先側段差部４１ａを挟持した状態で、フランジ部３２のネジ孔３６に取り付けネジ３４をねじ込むことによって取り付けられる構造を有する。
【００４０】
図２（ｂ）は、手動式ドア開放装置１０の取り付け状態を示す斜視図である。
マンションや高層ビルなどの開閉ドア４０ならびにドア枠４１に係止フック体３０を取り付ける場合は、改造工事の認可を必要としないため、入居者の自由意志で手動式ドア開放装置１０を任意に取り付けることができる。
【００４１】
狭持部３５は、ドア枠４１の戸先側段差部４１ａを狭持・固定するために設けられるもので、取り付けネジ３４で着脱自在に取り付けられることで既存の開閉ドア４０に簡単に取り付けることができる。
【００４２】
図２（ｃ）は、手動式ドア開放装置１０の開放前の作用状態を示す説明図である。
ドア枠４１の室内側の戸先側段差部４１ａに取り付けネジ３４で取り付けられたボックス状の係止部３１に開放バール２０の先端部２１（図示Ｏ）を差し入れ、開閉ドア４０の室内面に開放バール２０の屈曲部２２（図示Ｐ）を押し当てる。
【００４３】
図２（ｄ）は手動式ドア開放装置１０の開放後の作用状態を示す説明図である。
開閉ドア４０の室内面に開放バール２０の屈曲部２２（図示Ｐ）を押し当てた状態で該開放バール２０の把持部２５（図示Ｆ）を下方に体重をかけて降ろすと、屈曲部２２（図示Ｐ）が回動しながら開閉ドア４０を室外方向に押し出すことによって、開閉ドア４０がドア枠４１から開放される。
【００４４】
以上の状況で使用される本発明の手動式ドア開放装置１０は、係止フック体３０のボックス状の係止部３１に開放バール２０の先端部２１（図示Ｏ）を差し入れ、開閉ドア４０の室内面に開放バール２０の屈曲部２２（図示Ｐ）を押し当てた状態で該開放バール２０の把持部２５（図示Ｆ）を下方に体重をかけて降ろすだけの単純作業で、地震等の災害によって室内に閉じ込められた人が自力でもって簡単に室外に脱出することができると同時に、手動式ドア開放装置１０が取り付けネジ３４で着脱自在に取り付けられることで既存の外開きの開閉ドア４０に簡単に取り付けることができる。
【００４５】
図３は、本発明における請求項１記載の手動式ドア開放装置の内開きドアの実施形態を示す説明図である。
本実施形態は、新規仕様の内開きの開閉ドア４０に取り付けられる手動式ドア開放装置１０に関するもので、手動式ドア開放装置１０は、前記請求項１の係止フック体３０を上下逆さまにして、開閉ドア４０の室内側の戸先端上部４０ａに取り付けネジ３４で取り付けられるものである。
【００４６】
図３（ａ）は、手動式ドア開放装置１０の全体斜視図を示す。
本発明の手動式ドア開放装置１０は、開放バール２０と、係止フック体３０で構成される手動式のドア開放装置であって、該開放バール２０は、平鋼棒材を略Ｊ字状に屈曲させてバール状に形成し、先端部２１は先端をやや外側に屈曲させて先細りの平板状に成形し、屈曲部２２は所定の曲率半径を有して成形されると共に、該屈曲部２２の内側には補強杆２３を跨設し、把持部２５は凹凸加工を形成すると共に、基部２４は先端をやや内側に屈曲させて先細りの平板状に成形して成り、係止フック体３０は、下方が開口されるボックス状の係止部３１の側壁が両側に延設されてフランジ部３２が形成されると共に、該フランジ部３２に取り付けネジ３４が挿通する通し穴３３を設けて成り、かかる係止フック体３０を上下逆さまにして、開閉ドア４０の室内側の戸先端上部４０ａに設けられた雌ネジ部４３にフランジ部３２の通し穴３３を介して取り付けネジ３４を螺合することよって取り付けられる構造を有する。
【００４７】
図３（ｂ）は、手動式ドア開放装置１０の取り付け状態を示す斜視図である。
マンションや高層ビル賃貸事務所などの開閉ドア４０ならびにドア枠４１に係止フック体３０を直接取り付ける場合は、改造工事の認可を必要とするため、予め新規建設時にドア枠構造体に手動式ドア開放装置１０を取り付けておくものである。
【００４８】
図３（ｃ）は、手動式ドア開放装置１０の開放前の作用状態を示す説明図である。
開閉ドア４０の室内側の上端部に直接取り付けられた係止フック体３０におけるボックス状の係止部３１に開放バール２０の先端部２１（図示Ｏ）を上方から差し入れ、ドア枠４１の室内面に開放バール２０の屈曲部２２（図示Ｐ）を押し当てる。
【００４９】
図３（ｄ）は、手動式ドア開放装置１０の開放後の作用状態を示す説明図である。
ドア枠４１の室内面に開放バール２０の屈曲部２２（図示Ｐ）を押し当てた状態で該開放バール２０の把持部２５（図示Ｆ）を上方に持ち上げると、屈曲部２２（図示Ｐ）が回動しながら開閉ドア４０を室内方向に引き込むことによって、開閉ドア４０がドア枠４１から開放される。
【００５０】
以上の状況で使用される本発明の手動式ドア開放装置１０は、係止フック体３０におけるボックス状の係止部３１に開放バール２０の先端部２１（図示Ｏ）を差し入れ、ドア枠４１の室内面に開放バール２０の屈曲部２２（図示Ｐ）を押し当てた状態で該開放バール２０の把持部２５（図示Ｆ）を上方に持ち上げるだけの単純作業で、地震等の災害によって室内に閉じ込められた人が自力でもって室外に脱出することができる。
【００５１】
図４は、本発明における請求項２記載の手動式ドア開放装置の内開きドアの実施形態を示す説明図である。
本実施形態は、後付け仕様の内開きの開閉ドア４０に取り付けられる手動式ドア開放装置１０に関するもので、手動式ドア開放装置１０は、図２の係止フック体３０（狭持部３５の幅は開閉ドア４０の厚み幅に合わせて変更）を上下逆さまにして、開閉ドア４０の室内側の戸先端上部４０ａに取り付けネジ３４で取り付けられるものである。
【００５２】
図４（ａ）は、手動式ドア開放装置１０の全体斜視図を示す。
本発明の手動式ドア開放装置１０は、開放バール２０と、係止フック体３０で構成される手動式のドア開放装置であって、該開放バール２０は、平鋼棒材を略Ｊ字状に屈曲させてバール状に形成し、先端部２１は先端をやや外側に屈曲させて先細りの平板状に成形し、屈曲部２２は所定の曲率半径を有して成形されると共に、該屈曲部２２の内側には補強杆２３を跨設し、把持部２５は凹凸加工を形成すると共に、基部２４は先端をやや内側に屈曲させて先細りの平板状に成形して成り、係止フック体３０は、係止部３１におけるフランジ部３２を形成した側壁の開口辺から外側に略Ｌ字状の狭持部３５が連設されることで、該挟持部３５と係止部３１の側壁とで略コの字状の挟持空間が形成されて成り、かかる係止フック体３０を上下逆さまにして、該挟持空間により開閉ドア４０の室内側の戸先端上部４０ａを狭持した状態で、フランジ部３２のネジ孔３６に取り付けネジ３４をねじ込むことによって取り付けられる構造を有する。
【００５３】
図４（ｂ）は、手動式ドア開放装置１０の取り付け状態を示す斜視図である。
マンションや高層ビルなどの開閉ドア４０ならびにドア枠４１に係止フック体３０を取り付ける場合は、改造工事の認可を必要としないため、入居者の自由意志で手動式ドア開放装置１０を任意に取り付けることができる。
【００５４】
図４（ｃ）は、本発明の手動式ドア開放装置１０の開放前の作用状態を示す説明図である。
開閉ドア４０の室内側の上端部に取り付けネジ３４で狭持・固定される係止フック体３０のボックス状の係止部３１に、開放バール２０の先端部２１（図示Ｏ）を上方から差し入れ、ドア枠４１の室内面に開放バール２０の屈曲部２２（図示Ｐ）を押し当てる。
【００５５】
図４（ｄ）は、本発明の手動式ドア開放装置１０の開放後の作用状態を示す説明図である。
ドア枠４１の室内面に開放バール２０の屈曲部２２（図示Ｐ）を押し当てた状態で該開放バール２０の把持部２５（図示Ｆ）を上方に持ち上げると、屈曲部２２（図示Ｐ）が回動しながら開閉ドア４０を室内方向に引き込むことによって、開閉ドア４０がドア枠４１から開放される。
【００５６】
以上の状況で使用される本発明の手動式ドア開放装置１０は、係止フック体３０におけるボックス状の係止部３１に開放バール２０の先端部２１（図示Ｏ）を差し入れ、開閉ドア４０の室内面に開放バール２０の屈曲部２２（図示Ｐ）を当接させた状態で開放バール２０の把持部２５（図示Ｆ）を上方に持ち上げるだけの単純作業で、地震等の災害によって室内に閉じ込められた人が自力でもって室外に脱出することができる。
【実施例３】
【００５７】
図５は、本発明における別の手動式ドア開放装置の外開きドアの実施形態を示す説明図であり、図５（ａ）は手動式ドア開放装置１０の全体斜視図を示す。
本発明の手動式ドア開放装置１０は、前記係止フック体３０に替えて、ドア枠４１の室内側の戸先側段差部４１ａの水平上方部に開放バール２０の先端部２１が挿入される開放掛止穴４６を穿設することで、該開放掛止穴４６を起点として開放バール２０の屈曲部２２（図示Ｐ）を開閉ドア４０の室内面に押し当てた状態で回動することによって、開閉ドア４０を室外側に開放する構造とすることもできる。
【００５８】
図５（ｂ）は、手動式ドア開放装置１０の作用状態を示す斜視図である。
マンションや高層ビルなどのドア枠４１に開放掛止穴４６を空けるには、改造工事の認可を必要とするため、予め新規建設時にドア枠４１の室内側の戸先側段差部４１ａの水平上方部に開放掛止穴４６を空けた実施形態としたものである。
尚、ドア枠４１の水平上方部に係止フック体３０の開口を下向きに向けて取り付ける手段が考えられるが、その場合、ドア枠４１の開口部内に係止フック体３０が突出状態となるため、本発明の請求項1記載ならびに請求項２記載の手動式ドア開放装置より安全性ならびに外観美観性が劣るものとなる。
【００５９】
図５（ｃ）は、本発明の手動式ドア開放装置１０の開放前の作用状態を示す説明図である。
ドア枠４１の室内側戸先側段差部４１ａの水平上方部に穿設されている開放掛止穴４６に開放バール２０の先端部２１（図示Ｏ）を挿入し、該開放掛止穴４６を起点として開放バール２０の屈曲部２２（図示Ｐ）を開閉ドア４０の室内面に押し当てる。
【００６０】
図５（ｄ）は、本発明の手動式ドア開放装置１０の開放後の作用状態を示す説明図である。
開放バール２０の屈曲部２２（図示Ｐ）を開閉ドア４０の室内面に押し当てた状態で該開放バール２０の把持部２５（図示Ｆ）を下方に押し下げると、屈曲部２２（図示Ｐ）が押し当てられた状態で回動しながら開閉ドア４０を室外側に押し出すことによって、開閉ドア４０がドア枠４１から開放される。
【００６１】
以上の状況で使用される本発明の手動式ドア開放装置１０は、ドア枠４１の室内側戸先側段差部４１ａの水平上方部に穿設されている開放掛止穴４６に開放バール２０の先端部２１（図示Ｏ）を挿入し、該開放掛止穴４６を起点として開放バール２０の屈曲部２２（図示Ｐ）を開閉ドア４０の室内面に押し当てた状態で、開放バール２０の把持部２５（図示Ｆ）を下方に押し下げるだけの単純作業で、地震等の災害によって室内に閉じ込められた人が自力でもって室外に脱出することができる。
【００６２】
図６は、本発明における手動式ドア開放装置の収納状態を示す説明図であり、図６（ａ）は開閉ドア４０の内側に収納凹部４４を設けて収納した状態を示し、図６（ｂ）は開閉ドア４０の内側に開閉蓋付きの収納部４５を設けて収納した状態を示す。
本発明の手動式ドア開放装置１０は、開閉ドア４０の内部に図示されるように収納されることで、開閉ドア４０が日常生活において何ら支障なく使用することができる。
【産業上の利用可能性】
【００６３】
本発明における手動式ドア開放装置１０は、新築されるマンションや高層ビルの開閉ドア４０に取り付けることができると共に、既に入居済みのマンションや高層ビルの開閉ドア４０にも取り付けることができるもので、さらに日常の使用状態においては係止フック体３０が開閉ドア４０またはドア枠４１の何れかに取り付けるだけの簡単構造であることからして、本発明における「手動式ドア開放装置」の産業上の利用可能性は極めて大であるものと解する。
【符号の説明】
【００６４】
１０    手動式ドア開放装置
２０    開放バール
２１    先端部
２２    屈曲部
２３    補強杆
２４    基部
２５    把持部
３０    係止フック体
３１    係止部
３２    フランジ部
３３    通し穴
３４    取り付けネジ
３５    狭持部
３６    ネジ孔
４０    開閉ドア
４０ａ  戸先端上部
４１    ドア枠
４１ａ  戸先側段差部
４２    段差部
４３    雌ネジ部
４４    収納凹部
４５    収納部
４６    開放掛止穴
Ｆ    力点
Ｏ    支点
Ｐ    作用点
【図１】
2014201972.tif 000003
【図２】
2014201972.tif 000004
【図３】
2014201972.tif 000005
【図４】
2014201972.tif 000006
【図５】
2014201972.tif 000007
【図６】
2014201972.tif 000008